(57)【特許請求の範囲】
【請求項１】
圧縮機、凝縮器、蒸発器、膨張手段からなる冷媒回路を形成し、前記蒸発器へ室内空気を送風する蒸発器送風機を備え、室内空気の除湿を行う空気調和機において、
室内空気の乾球温度を検出する室内温度検出手段と、
室内空気の相対湿度を検出する室内相対湿度検出手段と、
前記蒸発器の冷媒の蒸発温度を検出する蒸発温度検出手段と、
前記圧縮機の運転周波数を制御する運転周波数制御手段と、
を備え、
前記室内温度検出手段による室内温度と前記室内相対湿度検出手段による相対湿度に基づいて所定の除湿効率の得られる前記蒸発器の目標蒸発温度を求め、この目標蒸発温度と前記蒸発温度検出手段による蒸発温度に基づいて前記蒸発器送風機の送風量を制御するとともに、前記室内温度検出手段による室内温度と設定された目標室内温度との偏差に基づいて前記運転周波数制御手段により圧縮機の運転周波数を制御することを特徴とする空気調和機。
【請求項２】
前記凝縮器へ送風する凝縮器送風機と、を備え、
前記目標蒸発温度と前記蒸発温度検出手段による蒸発温度との偏差に基づいて前記蒸発器送風機の送風量を設定するとともに、
所定の除湿効率が得られる前記圧縮機の運転周波数と前記凝縮器送風機の風量の関係に基づいて、前記圧縮機の運転周波数に応じた前記凝縮器送風機の送風量を設定することを特徴とする請求項１項記載の空気調和機。
【請求項３】
前記室内温度検出手段による室内温度と前記蒸発器送風機の送風量と前記蒸発温度検出手段による蒸発温度に基づいて室内空気の相対湿度を求めることを特徴とする請求項１記載の空気調和機。
【請求項４】
圧縮機、凝縮器、蒸発器、膨張手段からなる冷媒回路を形成し、前記蒸発器へ室内空気を送風する蒸発器送風機を備え、室内空気の除湿を行う空気調和機において、
室内空気の乾球温度を検出する室内温度検出手段と、
室内空気の相対湿度を検出する室内相対湿度検出手段と、
前記蒸発器の冷媒の蒸発温度を検出する蒸発温度検出手段と、
を備え、
前記室内温度検出手段による室内温度と前記室内相対湿度検出手段による相対湿度に基づいて所定の除湿効率の得られる前記蒸発器の目標蒸発温度を求め、前記蒸発温度検出手段による蒸発温度よりも所定温度低い温度値が前記目標蒸発温度に近づくように前記蒸発器送風機の送風量を制御することを特徴とする空気調和機。
【発明の詳細な説明】
【０００１】
【発明の属する技術分野】
この発明は、例えば冷媒の蒸発潜熱を利用して室内空気の冷却・除湿を行う冷凍サイクルを備えた空気調和機に関する。
【０００２】
【従来の技術】
冷媒の蒸発潜熱を利用して室内空気の冷却・除湿を行う冷凍サイクルを備えた空気調和機の一例として、家庭用のエアコンが挙げられる。このエアコンは、圧縮機、凝縮器および凝縮器へ室外空気を送風する送風機を備えた室外機と、蒸発器および蒸発器へ室内空気を送風する送風機を備えた室内機とを冷媒管で連結して冷凍サイクルを構成する構造となっている。そこで、蒸発器により冷却された空気を室内へ送風することにより冷房を行う。
【０００３】
この冷房時に、室内空気をその露点温度以下まで冷却することにより室内空気中の湿気が凝縮し、それを回収することによって同時に除湿も行う。
さらに、エアコンの動作モードには、一般に、室内の冷却を主目的に行う「冷房モード」と、除湿を主目的に行う「除湿モード」がある。
【０００４】
しかしながら、この「除湿モード」の運転時には、室内空気の温湿度条件、特に湿度によってエアコンの除湿性能が大きく異なるにも係わらず、あらかじめ決められた送風量で除湿運転が行われている場合が多く、各室内空気の雰囲気に対応した除湿運転が行われず、十分な除湿性能が得られないという問題点があった。
【０００５】
そこで、十分な除湿性能を得るために、空気調和機に相対湿度検出手段を具備し、その検出された相対湿度から最大除湿量が得られる蒸発器の表面温度を求め、この表面温度になるよう蒸発器への送風量を制御することが、特開平５−１２６３８４号公報に開示されている。
【０００６】
図１０は特開平５−１２６３８４号公報に示された従来の空気調和機の除湿制御を示すブロック図、図１１のその空気調和機の構成を示す構成図である。
図において、１３は空気調和機、１４は凝縮機、１５は膨張弁、１６はエバポレータ（蒸発器）、１７は送風機、１８は送風機、１９はエバポレータ１６の表面温度を検出する温度センサ、２０は制御回路、２１は圧縮機、２２、２３、２４、２５は冷媒管、２６は目標エバポレータ表面温度設定部、２７は送風量制御部、２８は相対湿度演算部である。
【０００７】
次に動作について説明する。
除湿運転については、相対湿度演算部２８により室内空気の相対湿度が演算され、この相対湿度から最大除湿量の得られるエバポレータ１６の目標表面温度を求める。この目標表面温度と温度センサ１９により実測されたエバポレータ１６の表面温度とを比較し、この比較結果に基づいて送風機１８によるエバポレータ１６表面への室内空気の送風量を送風量制御部２７により制御し、室内空気の雰囲気に応じた最大の除湿量を得る。なお、これらの制御は制御回路２０により行われる。
【０００８】
【発明が解決しようとする課題】
上記のような従来の空気調和機では、室内空気の除湿量を多くすることを念頭においた除湿制御が行われており、この制御方法では、例えば凝縮機１４による凝縮温度や、圧縮機２１周辺の高圧側と蒸発器（エバポレータ１６）周辺の低圧側の圧力差などの冷凍サイクル動作の効率については考慮されていないため、除湿効率のよい状態で制御されているとはいえず、蒸発器（エバポレータ１６）の目標表面温度、すなわち最大除湿量を得るために多大な電気入力を必要とすることがあるという問題点があった。
【０００９】
ここで、除湿効率とは、除湿量を空気調和機の電気入力で除した値であり、単位電気入力当たりの除湿量を示すものである。
また、室内空気が比較的低湿度の場合には、蒸発器（エバポレータ１６）の目標表面温度を得るために送風量を大きく絞らなければならず、このため低温空気を小風量で吹き出すことになり、室内へ冷気が入り込み、温度が必要以上に下がってしまい、室内の快適性を悪化させてしまうという問題点があった。
【００１０】
この発明の目的は、上述のような課題を解決するためになされたもので、除湿効率がよく、室内の快適性を悪化させることのない空気調和機を得るものである。
【００１１】
【課題を解決するための手段】
この発明に係る空気調和機は、室内空気の乾球温度を検出する室内温度検出手段と、室内空気の相対湿度を検出する室内相対湿度検出手段と、蒸発器の冷媒の蒸発温度を検出する蒸発温度検出手段と、圧縮機の運転周波数を制御する運転周波数制御手段と、を備え、室内温度検出手段による室内温度と室内相対湿度検出手段による相対湿度に基づいて所定の除湿効率の得られる蒸発器の目標蒸発温度を求め、この目標蒸発温度と蒸発温度検出手段による蒸発温度に基づいて蒸発器送風機の送風量を制御するとともに、室内温度検出手段による室内温度と設定された目標室内温度との偏差に基づいて運転周波数制御手段により圧縮機の運転周波数を制御するものである。
【００１３】
また、凝縮器へ送風する凝縮器送風機と、を備え、目標蒸発温度と蒸発温度検出手段による蒸発温度との偏差に基づいて蒸発器送風機の送風量を設定するとともに、所定の除湿効率が得られる圧縮機の運転周波数と凝縮器送風機の風量の関係に基づいて、圧縮機の運転周波数に応じた凝縮器送風機の送風量を設定するものである。
【００１４】
また、室内温度検出手段による室内温度と蒸発器送風機の送風量と蒸発温度検出手段による蒸発温度に基づいて室内空気の相対湿度を求めるである。
【００１５】
また、室内温度検出手段による室内温度と室内相対湿度検出手段による相対湿度に基づいて所定の除湿効率の得られる蒸発器の目標蒸発温度を求め、蒸発温度検出手段による蒸発温度よりも所定温度低い温度値が目標蒸発温度に近づくように蒸発器送風機の送風量を制御するものである。
【００１６】
【発明の実施の形態】
実施の形態１．
図１はこの発明の実施の形態１である空気調和機の構成図、図２は室内相対湿度が一定、かつ室内温度が変化した場合の冷媒の蒸発温度と空気調和機の除湿効率との関係を示す図、図３は室内温度が一定、かつ室内相対湿度が変化した場合の冷媒の蒸発温度と空気調和機の除湿効率との関係を示す図である。
【００１７】
図において、１は冷媒を圧縮する圧縮機、２は凝縮器、３は膨張手段を示す絞り機構、４は蒸発器であり、圧縮機１と、凝縮器２、絞り機構３、蒸発器４が冷媒管９により連結されて冷凍サイクルを形成する。５は四方弁、６は凝縮器２に近接して設置され、凝縮器２へ室外空気を送風する凝縮器送風機、７は蒸発器３に近接して設置され、蒸発器３へ室内空気を送風する蒸発器送風機である。
【００１８】
１０は蒸発器４に設けられ、例えば温度センサーからなる冷媒の蒸発温度を検出する蒸発温度検出手段、１１は蒸発器送風機７の送風路に設けられ、例えば温度センサーからなり、室内空気の乾球温度を検出する室内温度検出手段、１２は蒸発器送風機７の送風路に設けられ、例えば相対湿度センサーからなる室内相対湿度検出手段である。８は空気調和機の運転制御を行う制御器であり、制御器８の入力側には蒸発温度検出手段１０、室内温度検出手段１１、室内相対湿度検出手段１２が接続され、出力側には圧縮機１、蒸発器送風機７、凝縮器送風機８が接続される。
【００１９】
次に動作について説明する。
まず、室内温度検出手段１１及び室内相対湿度検出手段１２によりそれぞれ検出された室内温度Ｔａ、室内相対湿度Ｒａが制御器８に入力され、制御器８ではこの室内温度Ｔａ、室内相対湿度Ｒａにより除湿効率が最大となる冷媒の蒸発温度を求め、この蒸発温度を目標蒸発温度Ｔｅ*として決定する。そこで、蒸発温度検出手段１０により検出された蒸発温度Ｔｅが目標蒸発温度Ｔｅ*に近づくように蒸発器送風機７の送風量の制御を行う。これにより、蒸発器４による室内の除湿効率が最大となる。
【００２０】
ここで、除湿効率最大となる蒸発温度の決定方法について説明する。
冷凍サイクルを形成してなる空気調和機にて除湿を行う場合の除湿効率は、図２、図３に示すように、任意の室内空気条件毎に除湿効率最大となる蒸発温度があり、図２のように同じ室内相対湿度であっても室内温度が高いほどその蒸発温度も高いという特性があり、また、図３のように同じ室内温度であっても室内相対湿度が高いほどその蒸発温度も高いという特性がある。
【００２１】
さらに、この除湿効率最大となる蒸発温度Ｔｅ*は、室内空気の温度Ｔａと相対湿度Ｒａの組み合わせに対応して一義的に決定できる特性を有し、室内温度と室内相対湿度から例えば以下に示す数式１で演算することが可能である。
Ｔｅ*＝３６．１８６×Ｒａ−３６．１０１＋Ｔａ  ・・・  数式１
よって、室内温度と室内相対湿度を検出すれば、除湿効率最大となる目標蒸発温度Ｔｅ*はこの数式１により求めることができる。
【００２２】
以上のように、室内空気温度および室内相対湿度に対応した最も除湿効率の高い目標蒸発温度を数式１により算出して、蒸発温度を目標蒸発温度Ｔｅ*に近づくように蒸発器送風機の送風量の制御することにより、除湿効率の高い空気調和機の運転を行うことができる。
【００２３】
実施の形態２．
図４はこの発明の実施の形態２である空気調和機の除湿運転制御のブロック線図、図５は最大除湿効率が得られる蒸発温度Ｔｅmaxにおける室内温度Ｔａと室内相対湿度Ｒａの関係を示す図である。なお、空気調和機の構成図は図１と同じであり、図１を流用する。
図において、Ｓ１は周波数設定アルゴリズム、Ｓ２は目標蒸発温度設定アルゴリズム、Ｓ３は送風機風量設定アルゴリズム、Ｓ４は冷凍サイクル動特性、Ｓ５は室内負荷である。なお、制御器８は運転周波数制御手段を示す。
【００２４】
次に動作について説明する。
まず、目標室内温度Ｔａ*を設定する。この設定は、ユーザーが好みに合わせて手動で設定する場合や、制御器８により予め設定されている場合などがある。そこで、周波数設定アルゴリズムＳ１では、室内温度検出手段１１により検出された室内温度Ｔａと目標室内温度Ｔａ*との偏差ΔＴａに基づいて、制御器８により圧縮機１の運転周波数Ｆｚが設定される。この運転周波数Ｆｚの制御方法は、例えば偏差ΔＴａに対する比例制御などにより行われる。
【００２５】
目標蒸発温度設定アルゴリズムＳ２では、室内温度検出手段１１により検出された室内温度Ｔａと室内相対湿度検出手段１２により検出された室内相対湿度Ｒａに基づいて、目標蒸発温度Ｔｅ*が設定される。すなわち、図５のデータを予め制御器８内に記憶しておき、検出された室内温度Ｔａと室内相対湿度Ｒａに基づいて最大除湿効率が得られる冷媒の蒸発温度Ｔｅmaxを目標蒸発温度Ｔｅ*として設定する。
【００２６】
送風機風量設定アルゴリズムＳ３では、蒸発温度検出手段１０により検出された蒸発温度Ｔｅと目標蒸発温度設定アルゴリズムＳ２により設定された目標蒸発温度Ｔｅ*との偏差ΔＴｅに基づき蒸発器送風機の風量Ｎｅを設定する。この蒸発器送風機７の風量Ｎｅの制御方法は、例えば偏差ΔＴａに対する比例制御などがある。
【００２７】
また、最大除湿効率となる圧縮機１の運転周波数Ｆｚと凝縮器送風機２の風量Ｎｃの関係を予め制御器８内に記憶しておき、周波数設定アルゴリズムＳ１により設定された運転周波数Ｆｚから凝縮器送風機２の風量Ｎｃを設定する。さらに、外気温度検出手段を設けて、運転周波数Ｆｚと凝縮器送風機２の風量Ｎｃの関係に補正をかけてもよい。
【００２８】
冷凍サイクル動特性Ｓ４では、室内温度Ｔａ、室内相対湿度Ｒａ、運転周波数Ｆｚ、凝縮器送風機２の風量Ｎｃ、蒸発器送風機７の風量Ｎｅにより、蒸発器の吹出温度Ｔａｏ、吹出相対湿度Ｒａｏが定まる。
室内負荷Ｓ５では、蒸発器の吹出温度Ｔａｏ、吹出相対湿度Ｒａｏにより、室内温度Ｔａ、室内相対湿度Ｒａが定まる。さらに、これら室内温度Ｔａ、室内相対湿度Ｒａは任意の時間間隔でフィードバックされる。
【００２９】
以上のように、室内温度Ｔａと目標室内温度Ｔａ*との偏差ΔＴａにより圧縮機１の運転周波数Ｆｚを設定するので、従来のように室内温度Ｔａを必要以上に下げることがないため、快適性を悪化させることなく空気調和機を駆動させることができる。
【００３０】
また、室内温度Ｔａと室内相対湿度Ｒａにより最大除湿効率が得られるときの蒸発温度Ｔｅmaxを目標蒸発温度Ｔｅ*として設定し、蒸発温度Ｔｅと目標蒸発温度Ｔｅ*との偏差ΔＴｅにより蒸発器送風機の風量Ｎｅを設定し、この設定された運転周波数Ｆｚから最大除湿効率となる凝縮器送風機の風量Ｎｃを設定するので、常に最も効率の良い除湿効率の状態で運転されることになり、省エネルギーを行うことができる。
【００３１】
実施の形態３．
図６はこの発明の実施の形態３である空気調和機の蒸発器における入口空気状態と蒸発温度の関係を示す空気線図、図７は最大除湿効率が得られる蒸発器送風機風量における室内温度Ｔａと室内相対湿度Ｒａの関係を示す図、図８は空気調和機の室内相対湿度Ｒａの推定方法のフローチャートである。なお、空気調和機の構成図は図１と同じであり、図１を流用する。また、図５も流用する。
【００３２】
次に動作の概要について説明する。
まず、図６に示すように、蒸発器４における入口空気状態の室内温度Ｔａが同じであっても室内相対湿度がＲａ１、Ｒａ２と異なる場合には、最大除湿効率を実現する蒸発温度がＴｅ１、Ｔｅ２となり、異なることになる。
一方、図７に示すように、圧縮機１の運転周波数Ｆｚ、室内温度Ｔａ、室内相対湿度Ｒａが決まれば、最大除湿効率となるときの蒸発器送風機７の風量Ｖｅは一義的に求まる。
これらのことを利用し、室内温度Ｔａ、蒸発温度Ｔｅを検出し、蒸発器送風機７の風量Ｖｅ、圧縮機１の運転周波数Ｆｚより室内相対湿度Ｒａを推定する。これにより、相対湿度センサー等の室内相対湿度検出手段の設置を省くようにする。
【００３３】
次に図８を用いて詳細動作について説明する。
例えば空気調和機の圧縮機１の運転周波数Ｆｚを２２Ｈｚ、室内温度Ｔａを２４℃の状態であるとする。
まず、ステップＳ１０で、室内温度検出手段１１により室内温度Ｔａを検出する。ステップＳ１１で、室内温度Ｔａ、現在の圧縮機１の運転周波数Ｆｚに基づき図７より基準となる蒸発器送風機７の風量を例えばＭｉ（４．８ｍ3／ｍｉｎ）に設定する。この風量Ｍｉは室内相対湿度Ｒａが７０％の場合に最大除湿効率になる風量である。
【００３４】
ステップＳ１２で、室内温度検出手段１１による室内温度Ｔａと上述の蒸発器送風機７の風量に対応した室内相対湿度Ｒａに基づき図５より最大除湿効率となる冷媒の蒸発温度Ｔｅmaxを求め、これを目標蒸発温度Ｔｅ*とする。室内温度Ｔａが２４℃、室内相対湿度Ｒａが７０％であれば、Ｔｅmax＝Ｔｅ*=１３．２℃となる。
【００３５】
ステップ１３で、蒸発温度Ｔｅが一定の温度に安定するまで待機し、Ｔｅが一定温度になったらステップＳ１４で蒸発温度Ｔｅを検出する。その後、ステップＳ１５で、蒸発温度Ｔｅが、目標蒸発温度Ｔｅ*に対して、どの範囲にあるか判定する。すなわち、目標蒸発温度Ｔｅ*に対して上下に温度差ΔＴｅ（＝１．８℃）を設けて、Ｔｅ*−ΔＴｅ＜Ｔｅ＜Ｔｅ*＋ΔＴｅの範囲にあるか判定する。もし、蒸発温度Ｔｅがこの範囲内である場合には室内相対湿度Ｒａが７０％となり、ステップＳ１９へ進み、室内相対湿度Ｒａは確定する。
【００３６】
もし、この範囲内でなければ、ステップＳ１６に進み、Ｔｅ*−ΔＴｅ＞Ｔｅの範囲にあるか判定する。この範囲である場合には、ステップＳ１７へ進み、図７より蒸発器送風機７の風量をＬｏ（３．３ｍ3／ｍｉｎ）に変更し、室内相対湿度Ｒａを６０％に確定する。
また、上記範囲以外である場合には、Ｔｅ*＋ΔＴｅ＞Ｔｅの範囲にあることになり、ステップＳ１８へ進み、図７より蒸発器送風機７の風量をＨｉ（６．９ｍ3／ｍｉｎ）に変更し、室内相対湿度Ｒａを８０％に確定する。
以上の動作を任意の時間間隔ごとに行い、室内相対湿度Ｒａを推定する。
【００３７】
以上のように、室内温度Ｔａと蒸発器送風機の風量Ｖｅと蒸発温度Ｔｅの関係から室内相対湿度を推定することにより、相対湿度センサー等の室内相対湿度検出手段を設置することなく室内相対湿度を検出でき、室内相対湿度検出手段の設置スペースを省くことができるとともに、コスト低減が計れる。
【００３８】
実施の形態４．
実施の形態４では室内冷房負荷が小さい場合での冷房運転について述べる。
図９はこの発明の実施の形態４である空気調和機の冷房モードでの制御処理手順を示すフローチャートである。なお、空気調和機の構成図は図１と同じであり、図１を流用する。
【００３９】
次に動作について説明する。
まず、ステップＳ２０で、冷房モード、すなわち室内空気の冷却を主目的に行われる運転をスタートする。ステップＳ２１で、室内温度検出手段１１により室内温度Ｔａ及び室内相対湿度検出手段１２により室内相対湿度を検出する。
【００４０】
ステップＳ２２で、ユーザによる手動設定また制御器８による予め設定された目標室内温度Ｔａ*と室内温度Ｔａとの比較を行い、両者の温度差が大きい場合、例えば１．０℃以上であればステップＳ２４へ進み、高顕熱比運転モードに入る。一方、その温度差が小さい場合、例えば１．０℃未満であればステップＳ２３へ進む。
【００４１】
ステップＳ２３で、室内が高湿度であるかどうか、例えば７０％以上であるかどうかを判別し、７０％以下であればステップＳ２４へ進み、高顕熱比運転モードに入る。一方、７０％以上、すなわち、室内が高湿であり、かつ目標室内温度と室内温度との差が小さい場合には、ステップＳ２５へ進み、低顕熱比運転モードに入る。その後、ステップＳ２６で、所定時間経過した後、ステップＳ２１へ戻り、上記動作を繰り返す。
【００４２】
上記動作において、高顕熱比運転モードでは、あらかじめ目標室内温度Ｔａ*と室内温度Ｔａの偏差により決定される圧縮機１の運転周波数Ｆｚ、および蒸発器送風機７の風量Ｖｅで運転されるが、低顕熱比運転モードでは、蒸発温度検出手段１０により現在の蒸発温度Ｔｅを検出し、目標蒸発温度Ｔｅ*を蒸発温度Ｔｅより低く、例えば２℃低く設定する（Ｔｅ*＝Ｔｅ−２℃）。そして、蒸発器送風機７の送風量を蒸発温度がＴｅ*に近づくように制御を行う。
なお、この高顕熱比運転モードと低顕熱比運転モードは利用者が手動で切り替えてもよい。
【００４３】
以上のように、室内冷房負荷が小さい場合での冷房運転時においても、低顕熱比運転モードにより室内の相対湿度を確実に下げることができる。
【００４４】
【発明の効果】
この発明は、以上説明したように構成されているので、以下に示すような効果を奏する。
【００４５】
室内温度検出手段による室内温度と室内相対湿度検出手段による相対湿度に基づいて所定の除湿効率の得られる蒸発器の目標蒸発温度を求め、この目標蒸発温度と蒸発温度検出手段による蒸発温度に基づいて蒸発器送風機の送風量を制御するとともに、室内温度検出手段による室内温度と設定された目標室内温度との偏差に基づいて運転周波数制御手段により圧縮機の運転周波数を制御するので、室内空気温度および室内相対湿度に対応させ、最も除湿効率の高い蒸発温度で運転が行われ、電気入力に対して最大の除湿量を得ることができ、室内温度を必要以上に下げることなく、除湿運転することができ、快適性を悪化させることがない。
【００４７】
また、目標蒸発温度と蒸発温度検出手段による蒸発温度との偏差に基づいて蒸発器送風機の送風量を設定するとともに、所定の除湿効率が得られる圧縮機の運転周波数と凝縮器送風機の風量の関係に基づいて、圧縮機の運転周波数に応じた凝縮器送風機の送風量を設定するので、圧縮機の運転周波数の変化に応じて最も除湿効率のよい状態で運転できる。
【００４８】
また、室内温度検出手段による室内温度と蒸発器送風機の送風量と蒸発温度検出手段による蒸発温度に基づいて室内空気の相対湿度を求めるので、室内相対湿度検出手段を設けることなく室内相対湿度を検出できる。
【００４９】
また、室内温度検出手段による室内温度と室内相対湿度検出手段による相対湿度に基づいて所定の除湿効率の得られる蒸発器の目標蒸発温度を求め、蒸発温度検出手段による蒸発温度よりも所定温度低い温度値が目標蒸発温度に近づくように蒸発器送風機の送風量を制御するので、室内冷房負荷が小さい場合の冷房運転においても室内の相対湿度を確実に下げることができる。
【図面の簡単な説明】
【図１】  この発明の実施の形態１を示す空気調和機の構成図である。
【図２】  この発明の実施の形態１を示す空気調和機の冷媒の蒸発温度と除湿効率の関係を示す図である。
【図３】  この発明の実施の形態１を示す空気調和機の冷媒の蒸発温度と除湿効率の関係を示す図である。
【図４】  この発明の実施の形態２を示す空気調和機の除湿運転制御のブロック線図である。
【図５】  この発明の実施の形態２を示す空気調和機の室内温度と室内相対湿度の関係を示す図である。
【図６】  この発明の実施の形態３を示す空気調和機の蒸発器における入口空気状態と蒸発温度の関係を示す空気線図である。
【図７】  この発明の実施の形態３を示す空気調和機の室内温度と室内相対湿度の関係を示す図である。
【図８】  この発明の実施の形態３を示す空気調和機の室内相対湿度の推定方法のフローチャートである。
【図９】  この発明の実施の形態４を示す空気調和機の冷房モードでの制御処理手順を示すフローチャートである。
【図１０】  従来の空気調和機の除湿制御を示すブロック図である。
【図１１】  従来の空気調和機の構成を示す構成図である。
【符号の説明】
１  圧縮機、  ２  凝縮器、  ３  絞り機構、  ４  蒸発器、  ６  凝縮器送風機、  ７  蒸発器送風機、  ８  制御器、  ９  冷媒管、  １０  蒸発温度検出手段、  １１  室内温度検出手段、  １２  室内相対湿度検出手段。
【図１】
0003684860.tif 000002
【図２】
0003684860.tif 000003
【図３】
0003684860.tif 000004
【図４】
0003684860.tif 000005
【図５】
0003684860.tif 000006
【図６】
0003684860.tif 000007
【図７】
0003684860.tif 000008
【図８】
0003684860.tif 000009
【図９】
0003684860.tif 000010
【図１０】
0003684860.tif 000011
【図１１】
0003684860.tif 000012